【手続補正書】
【提出日】平成23年7月15日(2011.7.15)
【手続補正１】
【補正対象書類名】特許請求の範囲
【補正対象項目名】全文
【補正方法】変更
【補正の内容】
【特許請求の範囲】
【請求項１】
インスタントコメントを動的に提供する方法であって、
ウェブページ内で公衆に利用可能なＷｅｂメディアオブジェクトを識別するステップであって、当該公衆に入手可能なＷｅｂメディアオブジェクトが、オンライン環境のインスタントコメントツールに関連付けられており、当該インスタントコメントツールが、当該ウェブページ内でのアクティブ化のために、第1のユーザに利用可能であり、
前記公衆に入手可能なＷｅｂメディアオブジェクトに関連するインスタントコメントツールのアクティブ化を試みる第１のユーザーからの入力を受信するステップと、
前記インスタントコメントツールをアクティブ化する前に、前記第1のユーザからの認証を要求するステップと、
前記第1のユーザからの認証に応じて前記インスタントコメントツールをアクティブ化するステップであって、前記認証が、前記第1のユーザを第1のユーザ・プロファイルと関連付けるものと、
前記インスタントコメントツールのアクティブ化に応じて、前記公衆に利用可能なＷｅｂメディアオブジェクトに、１つまたは複数のコメントを残すように、インスタントコメントセッションを前記第１のユーザーに提供するステップであって、当該１つまたは複数のコメントが、少なくとも、チャット・コンテント及び掲示板コンテントを含み、当該チャット・コンテントが前記第1のユーザと1つ又は複数の他のユーザの間で交換され、当該1つ又は複数の他のユーザの各々が、関連するユーザ・プロファイルを有し、当該第1のユーザ及び当該1つ又は複数の他のユーザが、共通のユーザ・プロファイル・ファクタに基づいて関連付けられるものと、
前記提供されたインスタントコメントセッションから、前記第１のユーザー及び前記1つ又は複数の他のユーザからの前記コメントを、公衆に利用可能なウェブメディアオブジェクトの永続部分として記録するステップと、
前記公衆に利用可能なＷｅｂメディアオブジェクトの、前記記録されたコメントを、前記オンライン環境においてレンダリングするステップと、
を備える方法。
【請求項２】
前記利用可能なウェブ・ページ上の前記Ｗｅｂメディアオブジェクトに１つまたは複数のコメントを残すための前記インスタントコメントツールをアクティブ化するために１つまたは複数のユーザーから１つまたは複数の命令を受信するステップをさらに備え、
前記インスタントコメントツールは前記１つまたは複数の命令に応答して前記Ｗｅｂメディアオブジェクトを識別し、
前記受信された1つ又は複数の命令が、それらと関連付けられた前記識別されたメディア・オブジェクト上のオンライン環境でのインスタント・コメンティングを可能とする、
請求項１に記載の方法。
【請求項３】
前記１つまたは複数のユーザーが前記第１のユーザーと同じインスタントコメントセッションで会話を交わし、前記Ｗｅｂメディアオブジェクトにコメントを残すことができるようにするステップをさらに備え、
前記記録するステップが、前記インスタント・コメント・セッションで、及び、前記Ｗｅｂメディア・オブジェクトへのコメントにおいて前記第1のユーザと前記1つ又は複数のユーザの間で交わされた会話を記録することを含む、
請求項２に記載の方法。
【請求項４】
１つ又は複数のコンテキストに基づいて前記記録されたコメントをフィルタリングするするステップを更に備え、
前記１つ又は複数のコンテキストが、
言語コンテキスト、ユーザ年齢グループコンテキスト、メディアオブジェクトコンテキスト、ユーザのプライバシー設定、ユーザの通信嗜好、Ｗｅｂメディアオブジェクトの又はユーザの特定の地理的又は論理的位置、ユーザの相対的信頼可能性、オンライン環境の単一のインスタンスにおける最大同時ユーザ、コメントコンテントの相対的分類（taxonomy）、及び、オンライン環境コンテキスト、
のうちの少なくとも１つ又は複数を含む、
請求項１に記載の方法。
【請求項５】
前記インスタントコメントセッションを提供する前に前記第１のユーザー又は前記1つ又は複数のユーザに認証を要求するステップをさらに備え、
前記要求される認証はログインセッションを備える請求項１に記載の方法。
【請求項６】
前記Ｗｅｂメディアオブジェクトは、グラフィカルメディアオブジェクト、テキストメディアオブジェクト、掲示板ポスト、ブログポスト、メンバープロファイル、およびビデオメディアオブジェクト、オーディオメディアオブジェクト、３Ｄホログラフィックメディアオブジェクト、ビデオゲームでのアバター若しくは非プレイヤーキャラクタ、コンタクト、サービス表現、及び、無線周波数識別（ＲＦＩＤ）タグ、
のうちの１つまたは複数を備える請求項１に記載の方法。
【請求項７】
インスタントコメントを動的に提供するシステム（１００）において、
インスタントコメントツール（１１６）を提供するために通信ネットワーク（１０４）を介してアクセス可能なＷｅｂサーバー（１０２）であって、前記インスタントコメントツール（１１６）は、Ｗｅｂページ内で、公衆に利用可能なＷｅｂメディアオブジェクト（１１４）についてのインスタントコメントを可能にし、前記Ｗｅｂメディアコンテントは、オンライン環境で、前記Ｗｅｂサーバー（１０２）によってホストされる、インスタントコメントセッションと関連付けられ、当該公衆に利用可能なＷｅｂメディアオブジェクト（１１４）は、前記通信ネットワーク（１０４）を介して前記Ｗｅｂサーバーによりアクセス可能であり、前記インスタントコメントツールは、Ｗｅｂページ内で、アクティブ化のために第１のユーザに利用可能である、Ｗｅｂサーバーと、
前記Ｗｅｂページ内で前記インスタントコメントツール（１１６）をアクティブ化するための第１のユーザー（１１８−１）からの第１の命令を受信するために前記通信ネットワーク（１０４）を介して前記Ｗｅｂサーバー（１０２）にアクセス可能なＷｅｂインターフェイス（１１０）とを備え、
前記Ｗｅｂサーバー（１０２）は、前記Ｗｅｂインターフェイス（１１０）を介して、前記インスタントコメントツール（１１６）のアクティブ化を試みる第１のユーザー（１１８−１）から前記第１の命令を受信し、前記受信した第１の命令に応答して前記インスタントコメントツール（１１６）に関連付けられている前記Ｗｅｂメディアオブジェクト（１１４）を識別するように構成され、
前記インスタントコメントツール（１１６）をアクティブ化する前に、前記Ｗｅｂサーバは、前記第１のユーザから認証を要求し、
前記第１のユーザからの前記認証に応じて、前記Ｗｅｂサーバは、前記インスタントコメントツール（１１６）をアクティブ化し、
当該アクティブ化されたインスタントコメントツール（１１６）に応じて、当該認証は、前記第１のユーザを、第１のユーザプロファイルと関連付け、
前記インスタントコメントツール（１１６）は前記Ｗｅｂメディアオブジェクト（１１４）にコメントを残すようにインスタントコメントセッション（２１２）を前記第１のユーザー（１１８−１）に提供し、
システム（１００）は、前記提供されたインスタントコメントセッション（２１２）から、前記第１のユーザー（１１８−１）からの前記コメントを、前記Ｗｅｂメディアオブジェクトの永続部分として記録するために前記通信ネットワーク（１０４）を介して前記Ｗｅｂサーバー（１０２）によってアクセス可能なメモリー（１１２）をさらに備え、
前記Ｗｅｂサーバー（１０２）は、１つ又は複数のコンテキストに基づいて、前記記録されたコメントをフィルタリングするように更に構成され、
前記Ｗｅｂサーバー（１０２）は、前記Ｗｅｂメディアオブジェクト（１１４）の前記フィルタリングされた記録された前記コメントをオンライン環境でレンダリングするようにさらに構成され、
前記Ｗｅｂインターフェースが、前記フィルタリングされた記録されたコメントを、前記Ｗｅｂメディアオブジェクト（１１４）の永続部分として表示する、
システム。
【請求項８】
前記Ｗｅｂインターフェイスは、前記Ｗｅｂメディアオブジェクトにコメントを残すための前記インスタントコメントツールをアクティブ化するために１つまたは複数の追加のユーザーから１つまたは複数の追加の命令を受信し、前記インスタントコメントツールは、前記１つまたは複数の命令に応答して前記Ｗｅｂメディアオブジェクトを識別し、
前記Ｗｅｂインターフェイスは、更に、前記１つ又は複数のユーザが、同じインスタントコメントセッションにおいて、前記第１のユーザと会話を交わし、前記Ｗｅｂメディアオブジェクトにコメントを残すことを可能とする、
請求項７に記載のシステム。
【請求項９】
前記１つ又は複数のコンテキストが、
言語コンテキスト、ユーザ年齢グループコンテキスト、メディアオブジェクトコンテキスト、ユーザのプライバシー設定、ユーザの通信嗜好、Ｗｅｂメディアオブジェクトの又はユーザの特定の地理的又は論理的位置、ユーザの相対的信頼可能性、オンライン環境の単一のインスタンスにおける最大同時ユーザ、コメントコンテントの相対的分類（taxonomy）、及び、オンライン環境コンテキスト、
のうちの少なくとも１つ又は複数を含む、
請求項７に記載のシステム。
【請求項１０】
前記メモリーは、前記インスタントコメントセッションの前記第１のユーザーと前記１つまたは複数の追加的ユーザーとの間で交わされた前記会話、および前記Ｗｅｂメディアオブジェクトへの前記コメントを記録する請求項８に記載のシステム。
【請求項１１】
前記Ｗｅｂサーバーは、前記記録された会話および前記コメントを前記オンライン環境で前記Ｗｅｂメディアオブジェクトの前記永続部分としてレンダリングする請求項１０に記載のシステム。
【請求項１２】
前記Ｗｅｂメディアオブジェクトは、グラフィカルメディアオブジェクト、テキストメディアオブジェクト、掲示板ポスト、ブログポスト、メンバープロファイル、ビデオメディアオブジェクト、オーディオメディアオブジェクト、３Ｄホログラフィックメディアオブジェクト、ビデオゲームでのアバター若しくは非プレイヤーキャラクタ、コンタクト、サービス表現、及び、無線周波数識別（ＲＦＩＤ）タグ、
のうちの１つまたは複数を備える請求項７に記載のシステム。
【請求項１３】
インスタントコメントを動的に提供するためにコンピューター実行可能コンポーネントを格納したコンピューター可読記録媒体（４００）であって、
前記コンピューター実行可能コンポーネントが、
Ｗｅｂサーバー（１０２）によってホストされるオンライン環境において、Ｗｅｂページにおいて、公衆に利用可能なＷｅｂメディアオブジェクト（１１４）についてのインスタントコメントを可能にするためのＷｅｂページ内のインスタントコメントコンポーネント（４０２）であって、
前記公衆に利用可能なＷｅｂメディアオブジェクト（１１４）は、通信ネットワーク（１０４）を介して前記Ｗｅｂサーバー（１０２）によりアクセス可能であり、
前記アクティブ化されたインスタントコメントツールが、前記Ｗｅｂページ内で、第１のユーザによるアクティブのために利用可能であり、
前記インスタントコメントコンポーネント（４０２）をアクティブ化するための第１のユーザー（１１８−１）からの第１の命令を受信するために前記通信ネットワーク（１０４）を介して前記インスタントコメントコンポーネント（４０２）にアクセス可能なインターフェイスコンポーネント（４０４）とを備え、
前記インスタントコメントツールをアクティブ化する前に、前記インターフェースコンポーネントによる前記第１の命令の受信に応じて、前記インターフェースコンポーネントが、前記第１のユーザからの認証を要求し、
前記第１のユーザからの前記認証に応じて、前記インスタントコメントツールがアクティブ化され、前記Ｗｅｂメディアオブジェクトに関連する識別を介して前記Ｗｅｂメディアオブジェクトを識別し、受信された第１の命令に応じて、前記認証が、前記第１のユーザを第１のユーザプロファイルと関連付け、
前記インスタントコメントコンポーネント（４０２）は、公衆に利用可能な前記Ｗｅｂメディアオブジェクト（１１４）にコメントを残すようにインスタントコメントセッション（２１２）を前記第１のユーザー（１１８−１）に提供し、
前記コメントが、前記第１のユーザと１つ又は複数の他のユーザの間で交換されるチャットコンテントを含み、
前記１つ又は複数の他のユーザの各々が、関連付けられたユーザプロファイルを有し、
前記第１のユーザ及び前記１つ又は複数の他のユーザが、共通のユーザプロファイルファクタに基づいて関連付けられ、
前記コンピューター実行可能コンポーネントは、前記提供されたインスタントコメントセッション（２１２）から、前記第１のユーザー（１１８−１）及び１つ又は複数の他のユーザからの前記コメントを、Ｗｅｂメディアオブジェクトの永続部分として記録するために前記通信ネットワーク（１０４）を介してアクセス可能なメモリーコンポーネント（４０６）であって、前記コメントは前記Ｗｅｂメディアオブジェクト（１１４）の前記識別（４０８）に関連付けられる、メモリーコンポーネントをさらに備え、
前記インスタントコメントコンポーネント（４０２）は、前記Ｗｅｂメディアオブジェクト（１１４）の前記記録されたコメントを、前記オンライン環境でレンダリングする、
コンピューター可読記録媒体。
【請求項１４】
前記インターフェイスコンポーネントは、前記Ｗｅｂメディアオブジェクトにコメントを残すための前記インスタントコメントコンポーネントをアクティブ化するために１つまたは複数の追加のユーザーから１つまたは複数の追加の命令を受信し、前記インスタントコメントコンポーネントは、前記識別を介して、および前記１つまたは複数の命令に応答して前記Ｗｅｂメディアオブジェクトを識別し、
前記インターフェイスコンポーネントが、更に、前記１つ又は複数のユーザが、
同じインスタントコメントセッションにおいて、前記第１のユーザと会話を交わし、前記Ｗｅｂメディアオブジェクトへのコメントを残すことを可能とする、
請求項１３に記載のコンピューター可読記録媒体。
【請求項１５】
前記インスタントコメントコンポーネントが、更に、１つ又は複数のコンテキストに基づいて前記記録されたコメントをフィルタリングするように構成され、
前記１つ又は複数のコンテキストが、
言語コンテキスト、ユーザ年齢グループコンテキスト、メディアオブジェクトコンテキスト、ユーザのプライバシー設定、ユーザの通信嗜好、Ｗｅｂメディアオブジェクトの又はユーザの特定の地理的又は論理的位置、ユーザの相対的信頼可能性、オンライン環境の単一のインスタンスにおける最大同時ユーザ、コメントコンテントの相対的分類（taxonomy）、
及び、オンライン環境コンテキスト、
のうちの少なくとも１つ又は複数を含む、
請求項１４に記載のコンピューター可読記録媒体。
【請求項１６】
前記メモリーコンポーネントは、前記インスタントコメントセッションの前記第１のユーザーと前記１つまたは複数の追加的なユーザーとの間で交わされた前記会話、および前記Ｗｅｂメディアオブジェクトへの前記コメントを記録する請求項１５に記載のコンピューター可読記録媒体。
【請求項１７】
前記インスタントコメントコンポーネントは、前記記録された会話および前記コメントを前記オンライン環境で前記Ｗｅｂメディアオブジェクトの前記永続部分としてレンダリングする請求項１６に記載のコンピューター可読記録媒体。
【請求項１８】
前記Ｗｅｂメディアオブジェクトは、グラフィカルメディアオブジェクト、テキストメディアオブジェクト、掲示板ポスト、ブログポスト、メンバープロファイル、およびビデオメディアオブジェクト、オーディオメディアオブジェクト、３Ｄホログラフィックメディアオブジェクト、ビデオゲームでのアバター若しくは非プレイヤーキャラクタ、コンタクト、サービス表現、及び、無線周波数識別（ＲＦＩＤ）タグ、
のうちの１つまたは複数を備える請求項１４に記載のコンピューター可読記録媒体。